Podtech/llm-jp-corpus-v4-ja_patent huggingface dataset:
【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
少なくとも０．０１ｐｐｍのＤＮａｓｅと、少なくとも０．０１ｐｐｍのヘキソサミニダーゼと、クリーニング成分とを含むクリーニング組成物であって、前記クリーニング成分は、
ａ．０．１〜６０ｗｔ％の少なくとも１つの界面活性剤、
ｂ．０〜５０ｗｔ％のビルダー、及び
ｃ．０〜２０ｗｔ％の漂白成分、並びに
これらの組み合わせ
からなる群から選択され、前記ＤＮａｓｅが配列番号１３に示されるポリペプチドと少なくとも８０％の配列同一性を有するポリペプチドである、クリーニング組成物。
【請求項２】
前記ＤＮａｓｅは、ＮＵＣ１又はＮＵＣ１Ａ  ＤＮａｓｅであり、且つモチーフ［Ｄ／Ｍ／Ｌ］［Ｓ／Ｔ］ＧＹＳＲ［Ｄ／Ｎ］（配列番号７３）、ＡＳＸＮＲＳＫＧ（配列番号７４）の一方又は両方を含む、請求項１に記載のクリーニング組成物。
【請求項３】
前記ヘキソサミニダーゼは、
ａ）配列番号８２に示されるポリペプチドと少なくとも８０％の配列同一性を有するポリペプチド、配列番号８３に示されるポリペプチドと少なくとも８０％の配列同一性を有するポリペプチド、配列番号８４に示されるポリペプチドと少なくとも８０％の配列同一性を有するポリペプチド、配列番号８５に示されるポリペプチドと少なくとも８０％の配列同一性を有するポリペプチド、配列番号８６に示されるポリペプチドと少なくとも８０％の配列同一性を有するポリペプチド、配列番号８７に示されるポリペプチドと少なくとも８０％の配列同一性を有するポリペプチド、配列番号８８に示されるポリペプチドと少なくとも８０％の配列同一性を有するポリペプチド、配列番号８９に示されるポリペプチドと少なくとも８０％の配列同一性を有するポリペプチド、配列番号９０に示されるポリペプチドと少なくとも８０％の配列同一性を有するポリペプチド、配列番号９１に示されるポリペプチドと少なくとも８０％の配列同一性を有するポリペプチド、配列番号９２に示されるポリペプチドと少なくとも８０％の配列同一性を有するポリペプチド、配列番号９３に示されるポリペプチドと少なくとも８０％の配列同一性を有するポリペプチド、配列番号９４に示されるポリペプチドと少なくとも８０％の配列同一性を有するポリペプチド、配列番号９５に示されるポリペプチドと少なくとも８０％の配列同一性を有するポリペプチド、配列番号９６に示されるポリペプチドと少なくとも８０％の配列同一性を有するポリペプチド、配列番号９７に示されるポリペプチドと少なくとも８０％の配列同一性を有するポリペプチド、配列番号９８に示されるポリペプチドと少なくとも８０％の配列同一性を有するポリペプチド、配列番号９９に示されるポリペプチドと少なくとも８０％の配列同一性を有するポリペプチドからなる群から選択される、ヘキソサミニダーゼ活性を有するポリペプチド、
ｂ）Ｎ−アセチルグルコサミニダーゼ活性を有するポリペプチド、及び
ｃ）ＧＨ２０ドメインを含むポリペプチド、並びに
これらの組み合わせ
から選択される、請求項１又は２に記載のクリーニング組成物。
【請求項４】
前記ヘキソサミニダーゼは、テルリバチルス属（Ｔｅｒｒｉｂａｃｉｌｌｕｓ）由来のヘキソサミニダーゼである、請求項１〜３のいずれか１項に記載のクリーニング組成物。
【請求項５】
前記ヘキソサミニダーゼは、
配列番号８２に示されるポリペプチドと少なくとも８０％の配列同一性を有するポリペプチド、配列番号８３に示されるポリペプチドと少なくとも８０％の配列同一性を有するポリペプチド、配列番号８４に示されるポリペプチドと少なくとも８０％の配列同一性を有するポリペプチド、配列番号９８に示されるポリペプチドと少なくとも８０％の配列同一性を有するポリペプチド、又は配列番号９９に示されるポリペプチドと少なくとも８０％の配列同一性を有するポリペプチドである、請求項４に記載のクリーニング組成物。
【請求項６】
品目のクリーニングのための、請求項１〜５のいずれか１項に記載のクリーニング組成物の使用であって、前記品目は、生地又は表面である、使用。
【請求項７】
クリーニング組成物を配合する方法であって、ＤＮａｓｅと、ヘキソサミニダーゼと、少なくとも１つのクリーニング成分とを添加することを含み、前記ＤＮａｓｅが配列番号１３に示されるポリペプチドと少なくとも８０％の配列同一性を有するポリペプチドである、方法。
【請求項８】
ディープクリーニングのためのキットであって、ＤＮａｓｅとヘキソサミニダーゼとを含む酵素混合物の溶液を含み、前記ＤＮａｓｅが配列番号１３に示されるポリペプチドと少なくとも８０％の配列同一性を有するポリペプチドである、キット。
【請求項９】
品目のディープクリーニングの方法であって、
ａ）前記品目を、少なくとも０．００００１ｐｐｍのＤＮａｓｅ、少なくとも０．００００１ｐｐｍのヘキソサミニダーゼを含む酵素混合物と、クリーニング成分とを含む洗浄液溶液に接触させるステップであって、前記クリーニング成分は、少なくとも界面活性剤、任意選択でビルダー及び任意選択で漂白成分を含む、ステップと、
ｂ）前記品目をすすぐステップと
を含み、前記品目は生地である、方法。
【請求項１０】
前記ヘキソサミニダーゼは、テルリバチルス属（Ｔｅｒｒｉｂａｃｉｌｌｕｓ）由来のヘキソサミニダーゼである、請求項７又は９に記載の方法。
【請求項１１】
前記ヘキソサミニダーゼは、テルリバチルス属（Ｔｅｒｒｉｂａｃｉｌｌｕｓ）由来のヘキソサミニダーゼである、請求項８に記載のキット。
【請求項１２】
前記ヘキソサミニダーゼは、配列番号８２に示されるポリペプチドと少なくとも８０％の配列同一性を有するポリペプチド、配列番号８３に示されるポリペプチドと少なくとも８０％の配列同一性を有するポリペプチド、配列番号８４に示されるポリペプチドと少なくとも８０％の配列同一性を有するポリペプチド、配列番号９８に示されるポリペプチドと少なくとも８０％の配列同一性を有するポリペプチド、又は配列番号９９に示されるポリペプチドと少なくとも８０％の配列同一性を有するポリペプチドである、請求項７、９及び１０のいずれか１項に記載の方法。
【請求項１３】
前記ヘキソサミニダーゼは、配列番号８２に示されるポリペプチドと少なくとも８０％の配列同一性を有するポリペプチド、配列番号８３に示されるポリペプチドと少なくとも８０％の配列同一性を有するポリペプチド、配列番号８４に示されるポリペプチドと少なくとも８０％の配列同一性を有するポリペプチド、配列番号９８に示されるポリペプチドと少なくとも８０％の配列同一性を有するポリペプチド、又は配列番号９９に示されるポリペプチドと少なくとも８０％の配列同一性を有するポリペプチドである、請求項８又は１１に記載のキット。
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
培養培地と組織培養インサート上に置かれた精密切断組織切片とを含む培養系であって、前記精密切断組織切片は少なくとも６０％および９５％未満の酸素を含有する高含酸素雰囲気下に維持され、前記培養物は回転撹拌されることで前記培養培地への前記組織切片の間欠的浸漬を容易にする培養系。
【請求項２】
前記培養物が組織培養プレート中にある、請求項１に記載の培養系。
【請求項３】
薬物を含む、請求項１〜２のいずれか一項に記載の培養系。
【請求項４】
組織を培養する方法であって、少なくとも６０％および９５％未満の酸素を含有する高含酸素雰囲気下、培養培地中で、組織培養インサート上の精密切断組織切片を培養すること、および前記培養培地への前記組織切片の間欠的浸漬を容易にする回転で前記培養物を撹拌することを含む方法。
【請求項５】
前記培養培地に薬物を添加することをさらに含む、請求項４に記載の方法。
【請求項６】
薬物または薬物のバッチの有効性を決定する方法であって、
（ｉ）請求項４に記載の方法に従って組織を培養すること、
（ｉｉ）前記培養培地に前記薬物または前記薬物のバッチを添加すること、および
（ｉｉｉ）前記組織に対する前記薬物または前記薬物のバッチの効果を決定すること
を含み、前記薬物に対する前記組織の感受性が前記薬物の有効性を示す方法。
【請求項７】
前記組織が病理組織である、請求項１〜３のいずれか一項に記載の培養系または請求項４〜６のいずれか一項に記載の方法。
【請求項８】
処置を必要とする対象における疾患を処置するための薬物を選択する方法であって、
（ｉ）前記対象から得られた病理組織を請求項４に記載の方法に従って培養すること、
（ｉｉ）前記培養培地に前記薬物を添加すること、および
（ｉｉｉ）前記組織に対する前記薬物の効果を決定すること
を含み、前記薬物に対する前記組織の感受性が、前記対象における前記疾患の処置に関する前記薬物の有効性を示す方法。
【請求項９】
前記薬物が薬物組合せである、請求項３に記載の培養系または請求項５および８のいずれか一項に記載の方法。
【請求項１０】
前記組織または前記精密切断組織切片が新鮮単離される、請求項１〜９のいずれか一項に記載の培養系または方法。
【請求項１１】
前記組織または前記精密切断組織切片が４℃で保存される、請求項１〜９のいずれか一項に記載の培養系または方法。
【請求項１２】
前記組織または前記精密切断組織切片が凍結保存される、請求項１〜９のいずれか一項に記載の培養系または方法。
【請求項１３】
前記決定が、形態評価、生存能評価、増殖評価および／または細胞死評価によって実行される、請求項６〜１２のいずれか一項に記載の方法。
【請求項１４】
前記決定が形態評価によって実行される、請求項６〜１２のいずれか一項に記載の方法。
【請求項１５】
前記決定が３〜５日以内の培養において実行される、請求項６〜１４のいずれか一項に記載の方法。
【請求項１６】
前記疾患ががんである、請求項８〜１５のいずれか一項に記載の方法。
【請求項１７】
前記がんが、卵巣がん、結腸直腸がん、肺がん、膵がん、胃がん、胃食道がんおよび乳がんからなる群より選択される、請求項１６に記載の方法。
【請求項１８】
前記病理組織ががん性組織である、請求項７〜１７のいずれか一項に記載の培養系または方法。
【請求項１９】
前記組織が、卵巣組織、結腸直腸組織、肺組織、膵臓組織、胃組織、食道組織および乳房組織からなる群より選択される、請求項１〜１７のいずれか一項に記載の培養系または方法。
【請求項２０】
前記組織が、卵巣組織、結腸直腸組織、肺組織、膵臓組織、胃組織、食道組織、乳房組織、肝組織、軟骨組織および骨組織からなる群より選択される、請求項１〜１７のいずれか一項に記載の培養系または方法。
【請求項２１】
前記添加が前記培養開始の１２〜２４時間後に実行される、請求項５〜２０のいずれか一項に記載の方法。
【請求項２２】
前記薬物が抗炎症薬または抗がん薬である、請求項３および５〜２１のいずれか一項に記載の培養系または方法。
【請求項２３】
前記薬物が、５−フルロウリシル（５−Ｆｌｕｒｏｕｒｉｃｉｌ）（５ＦＵ）、オキサリプラチン、イリノテカン、シスプラチン、４−ヒドロペルオキシシクロホスファミド、ドセタキセル、ドキソルビシン、ナバルビン、ゲムシタビン、ゲフィチニブ、タモキシフェン、オラパリブ、トラメチニブ、エベロリムスおよびパルボシクリブからなる群より選択される、請求項３および５〜２１のいずれか一項に記載の培養系または方法。
【請求項２４】
前記薬物濃度が細胞株における前記薬物のＩＣ５０よりも高い、請求項３および５〜２３のいずれか一項に記載の培養系または方法。
【請求項２５】
前記薬物濃度が、用量依存的応答が観察される用量決定実験から導き出される、請求項３および５〜２３のいずれか一項に記載の培養系または方法。
【請求項２６】
前記培養が少なくとも４日間実行される、請求項４〜２５のいずれか一項に記載の方法。
【請求項２７】
前記培養が少なくとも５日間実行される、請求項４〜２５のいずれか一項に記載の方法。
【請求項２８】
前記培養が最大７日間実行される、請求項４〜２７のいずれか一項に記載の方法。
【請求項２９】
前記培養が組織培養プレート中で実行される、請求項４〜２８のいずれか一項に記載の方法。
【請求項３０】
前記精密切断切片が２００〜３００μｍである、請求項１〜２９のいずれか一項に記載の培養系または方法。
【請求項３１】
前記切片が前記組織培養インサートの中央に置かれる、請求項１〜３０のいずれか一項に記載の培養系または方法。
【請求項３２】
前記切片が１つの切片である、請求項１〜３１のいずれか一項に記載の培養系または方法。
【請求項３３】
前記切片が前記組織培養インサートと直接接触する、請求項１〜３２のいずれかに記載の培養系または方法。
【請求項３４】
前記組織培養インサートがチタングリッドインサートである、請求項１〜３３のいずれか一項に記載の培養系または方法。
【請求項３５】
前記組織がヒト組織である、請求項１〜３４のいずれか一項に記載の培養系または方法。
【請求項３６】
前記高含酸素雰囲気が少なくとも７０％の酸素を含有する、請求項１〜３５のいずれか一項に記載の培養系または方法。
【請求項３７】
遺伝子プロファイリングと組み合わせて実行される、請求項４〜３６のいずれか一項に記載の方法。
【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
サンプル中の腐食を引き起こす細菌の検出、同定、または定量化に好適なオリゴヌクレオチドプローブセットであって、前記オリゴヌクレオチドプローブセットは複数のプローブを含むオリゴヌクレオチドプローブセットであって、前記プローブが、ＳＲＢ１、Ｄｖ、Ｄｂａｃｔｅｒｉｕｍ１、Ｄｂｕｌｂｕｓ、Ｄｂａｃｔｅｒ２、Ｄｂａｃｔｅｒ１、Ｄｓｍｉｃｒｏｂｉｕｍ１、Ｄｔｏｍａｃｕｌｕｍ１、Ｄｔｏｍａｃｕｌｕｍ２、Ｄｓｃｏｃｃｕｓ、Ｄｖ１６Ｓ＿１、ＭＣＲ１、古細菌１、古細菌２、ＡＲＣ１６ＳＲＮＡ、Ｇｅｏｂａｃ、Ｓｈｅｗ、ＧｅｏＳ、ＧｅｏＭ、ＳｈｅｗＲＮＡ１、１６ＳＲＮＡ  ＰＲ、ＦＴＨＦＳ、ａ／ｂｓｓＡ、Ｆｉｒｍｉｃｕｔｉｓｈｙｄ  Ａ、Ｅ．ｃｏｌｉ、ｎｉｒＳ、ｎｉｒＫ、ｎａｒＧ、およびｎａｐＡ（配列番号１、４、５〜１１、１３〜１８、２０〜２２、２４〜３２、８０、および８４）を含む、プローブセット。
【請求項２】
前記セットの前記プローブが、バイオチップ上の識別可能な位置に固定化されている、請求項１に記載のプローブセット。
【請求項３】
ポジティブコントロールプローブ１６ＳＣＯＮＳ＿１（配列番号３６）をさらに含む、請求項１に記載のプローブセット。
【請求項４】
細菌群集組成を決定するための方法であって、前記方法が、
（ａ）解析される標的ＤＮＡを提供するステップと、
（ｂ）前記標的ＤＮＡに第１の増幅を施すステップと、
（ｃ）増幅された標的ＤＮＡを断片化するステップと、
（ｄ）断片化された標的ＤＮＡに第２の増幅ステップを施し、前記標的ＤＮＡを標識するステップと、
（ｅ）標識された標的ＤＮＡの前記断片を、請求項１に記載のオリゴヌクレオチドプローブセットを含むバイオチップにハイブリダイズさせるステップと、
（ｆ）請求項１に記載のオリゴヌクレオチドプローブセットに対する標的ＤＮＡ断片のハイブリダイゼーション効率を定量化するステップであって、＞１．５のハイブリダイゼーション効率が、ハイブリダイゼーションの成功を示す、定量化するステップと、を含む、方法。
【請求項５】
標的ＤＮＡが、一本鎖である、請求項４に記載の方法。
【請求項６】
オリゴヌクレオチドプローブが、固体支持体上に固定化されている、請求項４に記載の方法。
【請求項７】
少なくとも２１個のプローブのハイブリダイゼーションが、腐食を引き起こす細菌の活性の指標である、請求項４に記載の方法。
【請求項８】
微生物腐食（ＭＩＣ）に関連する細菌を検出するための、固体支持体上に固定化された、請求項１に記載のオリゴヌクレオチドプローブを含む、バイオチップ。
【請求項９】
前記固体支持体が、３Ｄマトリックス材料を含む、請求項８に記載のバイオチップ。
【請求項１０】
前記３Ｄマトリックス材料が、デンドリマーである、請求項８に記載のバイオチップ。
【請求項１１】
サンプル中の腐食を引き起こす細菌を検出、同定、および／または定量化するアッセイを実施するのに好適なキットであって、前記キットが、ａ）請求項１に記載のプローブ、および任意選択に、ｂ）前記アッセイを実施するのに必要な追加の試薬または組成物を含む、キット。
【請求項１２】
ポジティブコントロールプローブ１６ＳＣＯＮＳ＿１（配列番号３６）をさらに含む、請求項１１に記載のキット。
【請求項１３】
前記追加の試薬または組成物が、サンプル緩衝液、反応緩衝液、酵素ミックス、Ｆｒａｇｍｅｎｔａｓｅ反応緩衝液、ヌクレオチドミックス、１Ｍ  ＧｕＳＣＮ、５ｍＭ  ＥＤＴＡ、または５０ｍＭ  ＨＥＰＥＳ（ｐＨ７．５）のうちの１つ以上を含む、請求項１１に記載のキット。
【請求項１４】
サンプル中の腐食を検出する方法であって、前記方法が、
（ａ）前記サンプルからＤＮＡを取得することと、
（ｂ）前記ＤＮＡを、次のプローブ：ＳＲＢ１、Ｄｖ、Ｄｂａｃｔｅｒｉｕｍ１、Ｄｂｕｌｂｕｓ、Ｄｂａｃｔｅｒ２、Ｄｂａｃｔｅｒ１、Ｄｓｍｉｃｒｏｂｉｕｍ１、Ｄｔｏｍａｃｕｌｕｍ１、Ｄｔｏｍａｃｕｌｕｍ２、Ｄｓｃｏｃｃｕｓ、Ｄｖ１６Ｓ＿１、ＭＣＲ１、古細菌１、古細菌２、ＡＲＣ１６ＳＲＮＡ、Ｇｅｏｂａｃ、Ｓｈｅｗ、ＧｅｏＳ、ＧｅｏＭ、ＳｈｅｗＲＮＡ１、１６ＳＲＮＡ  ＰＲ、ＦＴＨＦＳ、ａ／ｂｓｓＡ、Ｆｉｒｍｉｃｕｔｉｓｈｙｄ  Ａ、Ｅ．ｃｏｌｉ、ｎｉｒＳ、ｎｉｒＫ、ｎａｒＧ、およびｎａｐＡ（配列番号１、４、５〜１１、１３〜１８、２０〜２２、２４〜３２、８０、および８４）と接触させること、ならびに前記ＤＮＡと個々のプローブとの間のハイブリダイゼーションシグナルを検出することによって、前記サンプル中に腐食を引き起こす細菌が存在するかどうかを検出することと、
（ｃ）少なくとも１種の腐食を引き起こす細菌の前記存在が検出されるとき、腐食の前記存在を確立することと、を含む、方法。
【請求項１５】
前記サンプルが取得された表面または液体環境において、ｎａｒＧ、ｎｉｒＳ／ｎｉｒＫ、およびｎａｐＡからなる群から選択される硝酸または亜硝酸還元酵素遺伝子を含む、１種以上の硝酸還元菌（ＮＲＢ）の量を増加させることをさらに含む、請求項１４に記載の方法。
【手続補正書】
【提出日】令和3年3月24日(2021.3.24)
【手続補正１】
【補正対象書類名】特許請求の範囲
【補正対象項目名】請求項１８
【補正方法】変更
【補正の内容】
【請求項１８】
（Ａ−２）前記生体試料からの第３のＴＧＦＢＩ遺伝子配列を増幅するステップであって、前記反応混合物が、Ｒ１２４Ｓ，Ａ５４６Ｄ，Ｈ５７２ＲおよびＨ６２６Ｒからなる群から選択される第３のＴＧＦＢＩ変異のための第３の標識プローブをさらに含むステップと、
（Ｂ−２）前記第３の標識プローブを、前記第３のＴＧＦＢＩ遺伝子配列とハイブリダイズするステップと、
（Ｃ−２）前記第３の標識プローブの、前記第３のＴＧＦＢＩ遺伝子配列とのハイブリダイゼーションに基づき、前記第３のＴＧＦＢＩ遺伝子配列における変異を検出するステップと
をさらに含む、請求項１６または１７に記載の方法。
【手続補正２】
【補正対象書類名】明細書
【補正対象項目名】００６３
【補正方法】変更
【補正の内容】
【００６３】
いくつかの実施形態において、本明細書において記述されている本発明の方法に従って調製された約１μＬ、約２μＬ、約３μＬ、約４μＬまたは約５μＬのゲノムＤＮＡ試料を、約０．０５μＬ、約０．１０μＬ、約０．１５μＬ、約０．２０μＬ、約０．２５μＬまたは約０．２５μＬの３０Ｘ、３５Ｘ、４０Ｘ、４５Ｘ、５０Ｘまたは１００ＸリアルタイムＰＣＲアッセイミックスおよび蒸留水のみと組み合わせて、ＰＣＲマスターミックスを形成することがわかった。いくつかの実施形態において、ＰＣＲマスターミックスは、約１．５μＬ、約２．５μＬ、約５μＬ、約６μＬ、約７μＬ、約８μＬ、約９μＬ、約１０μＬ、約１１μＬ、約１２μＬ、約１３μＬ、約１４μＬ、約１５μＬ、約１６μＬ、約１７μＬ、約１８μＬ、約１９μＬもしくは約２０μＬまたはそれ以上の最終体積を有する。いくつかの実施形態において、ＰＣＲマスターミックスを形成するために、２μＬの上述した通りに調製したゲノムＤＮＡ試料を、約０．１５μＬの４０ＸリアルタイムＰＣＲアッセイミックスおよび２．８５μＬの蒸留水のみと組み合わせることがわかった。
【手続補正書】
【提出日】令和3年3月4日(2021.3.4)
【手続補正１】
【補正対象書類名】特許請求の範囲
【補正対象項目名】全文
【補正方法】変更
【補正の内容】
【特許請求の範囲】
【請求項１】
電力不正を検出するための、コンピュータによって実現される方法であって、
既知のデータセットにアクセスするステップを含み、前記既知のデータセットは、電力不正の既知の事例に関連付けられた第１のデータ項目を含み、前記方法はさらに、
モデルの検出器挙動を前記第１のデータ項目に少なくとも適用することによって、疑わしい既知の事例のセットを判断するステップと、
前記モデルの１つ以上の誤判定説明に対して前記疑わしい既知の事例のセットにおける既知の事例の各々を分析することによって、前記疑わしい既知の事例のセットから、説明済みの既知の事例のセットを判断するステップとを含み、前記説明済みの既知の事例のセットは前記疑わしい既知の事例のセットのサブセットであり、前記方法はさらに、
前記疑わしい既知の事例のセットについての判断に基づいて前記モデルを検証するステップと、
未知のデータセットにアクセスするステップとを含み、前記未知のデータセットは、複数のサービスポイントにおける電力不正の未知の事例に関連付けられた第２のデータ項目を含み、前記複数のサービスポイントの各サービスポイントは電力メータに対応しており、前記第２のデータ項目は、各サービスポイントに対応する前記電力メータに関連付けられた電力需要を含み、前記方法はさらに、
前記検出器挙動を前記第２のデータ項目に少なくとも適用することによって、疑わしい未知の事例のセットを判断するステップと、
前記１つ以上の誤判定説明に対して前記疑わしい未知の事例のセットにおける未知の事例の各々を分析することによって、前記疑わしい未知の事例のセットから、説明済みの既知の事例のセットを判断するステップとを含み、前記説明済みの未知の事例のセットは前記疑わしい未知の事例のセットのサブセットであり、前記方法はさらに、
前記疑わしい未知の事例のセットから前記説明済みの未知の事例のセットを差し引くことによって未説明の未知の事例のセットを判断するステップを含み、前記未説明の未知の事例のセットは、前記説明済みの未知の事例のセットと重複しない前記疑わしい未知の事例のセットのサブセットである、コンピュータによって実現される方法。
【請求項２】
前記検出器挙動は、突然上昇した後に低いままとどまる電力需要を含む、請求項１に記載の、コンピュータによって実現される方法。
【請求項３】
前記検出器挙動は、緩やかに低下した後に低いままとどまる電力需要を含む、請求項１に記載の、コンピュータによって実現される方法。
【請求項４】
前記検出器挙動は、長期間にわたって緩やかに低下する電力需要を含む、請求項１に記載の、コンピュータによって実現される方法。
【請求項５】
前記検出器挙動は非常に低い電力需要を含む、請求項１に記載の、コンピュータによって実現される方法。
【請求項６】
前記検出器挙動は、予想通りに上昇しない電力需要を含む、請求項１に記載の、コンピュータによって実現される方法。
【請求項７】
前記検出器挙動は、異常に安定している電力需要を含む、請求項１に記載の、コンピュータによって実現される方法。
【請求項８】
コンピューティングシステムであって、
１つ以上のデータストアを備え、前記１つ以上のデータストアは、
電力不正の既知の事例に関連付けられた第１のデータ項目を含む既知のデータセットと、
複数のサービスポイントにおいて電力不正の未知の事例に関連付けられた第２のデータ項目を含む未知のデータセットとを含み、前記複数のサービスポイントの各サービスポイントは電力メータに対応しており、前記第２のデータ項目は、各サービスポイントに対応する前記電力メータに関連付けられた電力需要を含み、前記コンピューティングシステムはさらに、
コンピュータプロセッサと、
プログラム命令を格納するメモリとを備え、前記プログラム命令は、前記コンピュータプロセッサに、
前記既知のデータセットにアクセスさせ、
モデルの検出器挙動を前記第１のデータ項目に少なくとも適用することによって、疑わしい既知の事例のセットを判断させ、
前記モデルの１つ以上の誤判定説明に対して前記疑わしい既知の事例のセットにおける既知の事例の各々を分析することによって、前記疑わしい既知の事例のセットから説明済みの既知の事例のセットを判断させ、前記説明済みの既知の事例のセットは前記疑わしい既知の事例のセットのサブセットであり、前記プログラム命令はさらに、前記コンピュータプロセッサに、
前記疑わしい既知の事例のセットについての判断に基づいて前記モデルを検証させ、
前記未知のデータセットにアクセスさせ、
前記検出器挙動を前記第２のデータ項目に少なくとも適用することによって、疑わしい未知の事例のセットを判断させ、
前記１つ以上の誤判定説明に対して前記疑わしい未知の事例のセットにおける未知の事例の各々を分析することによって、前記疑わしい未知の事例のセットから、説明済みの未知の事例のセットを判断させ、前記説明済みの未知の事例のセットは前記疑わしい未知の事例のセットのサブセットであり、前記プログラム命令はさらに、前記コンピュータプロセッサに、
前記疑わしい未知の事例のセットから前記説明済みの未知の事例のセットを差し引くことによって未説明の未知の事例のセットを判断させるように、
前記コンピュータプロセッサによって実行されるように構成されており、前記未説明の未知の事例のセットは、前記説明済みの未知の事例のセットと重複しない前記疑わしい未知の事例のセットのサブセットである、コンピューティングシステム。
【請求項９】
前記検出器挙動は、突然上昇した後に低いままとどまる電力需要を含む、請求項８に記載のコンピューティングシステム。
【請求項１０】
前記検出器挙動は、緩やかに低下した後に低いままとどまる電力需要を含む、請求項８に記載のコンピューティングシステム。
【請求項１１】
前記検出器挙動は、長期間にわたって緩やかに低下する電力需要を含む、請求項８に記載のコンピューティングシステム。
【請求項１２】
前記検出器挙動は非常に低い電力需要を含む、請求項８に記載のコンピューティングシステム。
【請求項１３】
前記検出器挙動は、予想通りに上昇しない電力需要を含む、請求項８に記載のコンピューティングシステム。
【請求項１４】
前記検出器挙動は、異常に安定している電力需要を含む、請求項８に記載のコンピューティングシステム。
【請求項１５】
請求項１〜７のいずれかに記載の方法をコンピュータプロセッサに実行させる、プログラム。
【手続補正書】
【提出日】令和2年11月27日(2020.11.27)
【手続補正１】
【補正対象書類名】特許請求の範囲
【補正対象項目名】全文
【補正方法】変更
【補正の内容】
【特許請求の範囲】
【請求項１】
結露管理システムであって、
第１のフィルム支持体と第２のフィルム支持体との間で前記フィルムの長手方向軸線に沿って張力によって伸ばされるように構成された細長い可撓性フィルムを備え、前記フィルムが、
前記フィルムの幅にわたって横方向に延びる第１の端部及び第２の端部と、
前記第１の端部と前記第２の端部との間で長手方向に延びる第１の側部及び第２の側部と、
前記第１の側部と前記第２の側部との間に延びる凹面と、前記第１の側部と前記第２の側部との間に延びる反対側の凸面と、
前記凹面及び前記凸面のうちの少なくとも一方に配置されたマイクロチャネルであって、前記フィルムの前記長手方向軸線に対してゼロより大きい角度で配置され、前記フィルムが前記第１のフィルム支持体と前記第２のフィルム支持体との間で長手方向に伸ばされるときに、前記フィルムの前記凹面及び前記凸面に所定の曲率半径を生じさせるように構成される、マイクロチャネルとを備え、
前記所定の曲率半径が、前記第１の支持体と前記第２の支持体との間の距離に応じて変化し、
前記第１のフィルム支持体及び前記第２のフィルム支持体がそれぞれ、前記可撓性フィルムの前記第１の端部及び前記第２の端部がそれぞれ取り付けられる、実質的に平坦な取付面を有し、
前記フィルムの前記曲率半径の最小値が、前記第１のフィルム支持体と前記第２のフィルム支持体との間の前記フィルムの長手方向の中間点で生じ、
前記曲率半径の最大値が、前記第１のフィルム支持体及び前記第２のフィルム支持体の近くで生じる、結露管理システム。
【請求項２】
前記フィルムの前記側部が、前記第１の支持体及び前記第２のフィルム支持体以外によって支持されない、請求項１に記載のシステム。
【請求項３】
前記フィルムが、前記第１のフィルム支持体及び前記第２のフィルム支持体に取り外し可能に取り付けられている、請求項１に記載のシステム。
【請求項４】
前記マイクロチャネルが、前記フィルムの前記凹面及び前記フィルムの前記凸面の一方又は両方に沿って延びている、請求項１に記載のシステム。
【請求項５】
第２のマイクロチャネルの組を更に備え、前記マイクロチャネルの長手方向軸線が、前記フィルムの長手方向軸線と実質的に平行である、請求項１に記載のシステム。
【請求項６】
前記マイクロチャネルの長手方向軸線が、前記フィルムの長手方向軸線に対して０度超かつ約６０度未満の角度で配置されている、請求項１に記載のシステム。
【請求項７】
前記フィルムの底部が、前記第１のフィルム支持体と前記第２のフィルム支持体との間で重力方向に沿って下向きに傾斜している、請求項１に記載のシステム。
【請求項８】
前記フィルムの下向き勾配が、約０．０１〜０．２である、請求項１に記載のシステム。
【請求項９】
長手方向軸線及び横方向軸線の一方又は両方に沿った前記フィルムの剛性が、約１００ポンド／フィート／リニアインチ〜約１５００ポンド／フィート／リニアインチである、請求項１に記載のシステム。
【請求項１０】
前記フィルムが、ポリエチレン、ポリプロピレン、ポリエステル、コポリエステル、及びポリウレタンのうちの少なくとも１つを含む、請求項１に記載のシステム。
【手続補正書】
【提出日】令和3年3月25日(2021.3.25)
【手続補正１】
【補正対象書類名】特許請求の範囲
【補正対象項目名】請求項２
【補正方法】変更
【補正の内容】
【請求項２】
前記薄層は、均一な厚さを有する、請求項１に記載のエバポレータ。
【手続補正２】
【補正対象書類名】明細書
【補正対象項目名】００７６
【補正方法】変更
【補正の内容】
【００７６】
いくつかの図面において、溝４の底部４１は「単独」で描かれている。実際に、機械加工の制約および／または薄層３の形成を促進するために、Ｄ３に相当する大きさの薄層３で被覆されていない領域が存在する場合がある。
【手続補正書】
【提出日】令和2年12月23日(2020.12.23)
【手続補正１】
【補正対象書類名】特許請求の範囲
【補正対象項目名】全文
【補正方法】変更
【補正の内容】
【特許請求の範囲】
【請求項１】
ポリマーマトリックス（Ｐ）、および少なくとも１つの磁性コア（Ｍ）、好ましくは少なくとも２つの磁性コア（Ｍ）を含む磁性粒子を調製する方法であって、ポリマーマトリックス（Ｐ）は、少なくとも１つの超架橋ポリマーを含み、方法は、
（ｉ）少なくとも１つの磁性コア（Ｍ）、好ましくは少なくとも２つの磁性コア（Ｍ）を用意するステップと、
（ｉｉ）ポリマー前駆体分子を用意するステップと、
（ｉｉｉ）少なくとも１つの磁性コア（Ｍ）の存在下で（ｉｉ）によるポリマー前駆体分子を重合させ、それによりポリマーマトリックス（Ｐ１）に埋め込まれた少なくとも１つの磁性コア（Ｍ）、好ましくは少なくとも２つの磁性コア（Ｍ）を含む粒子を形成するステップと、
（ｉｖ）フリーデル−クラフツ反応を介して、（ｉｉｉ）で得られたポリマー粒子のポリマーマトリックス（Ｐ１）を超架橋させるステップであって、反応は８０℃以下の温度で行われる、ステップと、
を含み、それにより磁性粒子を得、磁性粒子は５〜４０マイクロメートルの範囲の粒子径を有し、
（ｉｖ）の反応は、ジクロロエタンを含む溶媒中でも他の有機ハロゲン化物を含む溶媒中でも行われず；
（ｉｖ）の反応は、２時間以下の反応時間で行われ；
（ｉｖ）の反応は、少なくともＴＨＦ、アセトニトリル、ＤＭＦ、ジオキサン、またはトルオールを含む溶媒中で行われ；
（ｉｖ）の超架橋は、ルイス酸からなる群から選択される触媒の存在下で行われる、
方法。
【請求項２】
（ｉｖ）の反応は、３０℃以下の温度で行われる、請求項１に記載の方法。
【請求項３】
（ｉｖ）の反応は、ＴＨＦ、アセトニトリル、ＤＭＦ、トルオール、ジオキサン、およびそれらの２つ以上の混合物からなる群から選択される溶媒中で行われる、請求項１または２に記載の方法。
【請求項４】
（ｉｖ）の反応は、不活性雰囲気下で行われる、請求項１から３のいずれか一項に記載の方法。
【請求項５】
（ｉｖ）の反応中、不活性ガスが混合物に流される、請求項１から４のいずれか一項に記載の方法。
【請求項６】
（ｉｖ）において、少なくとも１つの磁性コア（Ｍ）がマトリックスに埋め込まれる、請求項１から５のいずれか一項に記載の方法。
【請求項７】
（ｉｖ）の超架橋は、ＦｅＣｌ３、ＺｎＣｌ２、ＡｌＣｌ３、ＢＦ３、ＳｂＣｌ５、ＳｎＣｌ４、ＴｉＣｌ４、ＳｉＣｌ４、およびそれらの２つ以上の混合物、好ましくはＦｅＣｌ３もしくはＺｎＣｌ２、またはそれらの混合物からなる群から選択される触媒の存在下で行われる、請求項１から６のいずれか一項に記載の方法。
【請求項８】
（ｖ）（ｉｖ）によるポリマー粒子の表面を官能化するステップ、
をさらに含む、実施形態１から７のいずれか一項に記載の方法。
【請求項９】
（ｉｉｉ）の重合は、懸濁重合である、請求項１から８のいずれか一項に記載の方法。
【請求項１０】
請求項１から９のいずれか一項に記載の方法により得られるまたは得ることができる磁性粒子。
【請求項１１】
流体中の少なくとも１つの被験物質の定性的および／または定量的決定のための請求項１０に記載の磁性粒子の使用。
【請求項１２】
流体試料中の少なくとも１つの被験物質を決定する方法であって、
ａ）請求項１０に記載の磁性粒子を、少なくとも１つの被験物質を含むまたは含むと疑われる流体試料と接触させるステップと、
ｂ）前記磁性粒子に結合した少なくとも１つの被験物質を決定するステップと、
を含む、方法。
【請求項１３】
前記被験物質は、ステロイド、ビタミン、薬物、糖、有機化合物、タンパク質、核酸、糖、およびそれらの２つ以上の混合物からなる群から選択される、請求項１１に記載の使用、または請求項１２に記載の方法。
【手続補正書】
【提出日】令和3年4月5日(2021.4.5)
【手続補正１】
【補正対象書類名】特許請求の範囲
【補正対象項目名】全文
【補正方法】変更
【補正の内容】
【特許請求の範囲】
【請求項１】
周期的光パターンで試料領域を照射するための光学部品であって、前記光学部品は、第１導波路と、さらなる導波路と、光学スプリッタとを備え、前記光学スプリッタは、（ｉ）入射光を受信するための入力と、（ｉｉ）第１出力と、（ｉｉｉ）第２出力と、を有し、
前記光学スプリッタの前記第１出力は、第１入射光を前記第１導波路内に誘導するように、前記第１導波路に光学的に結合され、
前記第１導波路は、第１方向の第１経路に沿って前記試料領域内に前記第１入射光を誘導するために全内反射を使用するように配置され、
前記光学スプリッタの前記第２出力は、第２方向の第２経路に沿って前記試料領域内に第２入射光を誘導するように、前記試料領域に光学的に結合され、
前記さらなる導波路は、第３入射光を受信し、第３方向の第３経路に沿って前記試料領域内に前記第３入射光を誘導するために全内反射を使用するように、配置され、
使用中に、前記第１入射光が前記第２入射光に干渉して前記試料領域内に周期的光パターンを形成するように、前記第２方向は前記第１方向とは異なっており、
前記第３方向は前記第１方向とも前記第２方向とも異なっており、
前記第１方向、前記第２方向、及び前記第３方向は、同一平面上にある、
光学部品。
【請求項２】
前記光学部品の単一の面に形成され且つ前記第１入射光、前記第２入射光、及び前記第３入射光を受信するように配置されている入力を備える、請求項１に記載の光学部品。
【請求項３】
前記入力は、１つ以上の光ファイバケーブルと連結するための単一のソケットを備える、
請求項１又は請求項２に記載の光学部品。
【請求項４】
前記第１経路、前記第２経路、及び前記第３経路は、共通の平面内にある、請求項１〜
請求項３の何れか１項に記載の光学部品。
【請求項５】
第４導波路を更に備え、
前記第４導波路は、第４入射光を受信すると共に第４方向の第４経路に沿って前記試料領域内に前記第４入射光を向けるために全内反射を利用するように配置され、
前記第４方向は、前記第１方向、前記第２方向、及び前記第３方向と異なり、前記第１方向、前記第２方向、及び前記第３方向と同一平面上にある、
請求項１〜請求項４の何れか１項に記載の光学部品。
【請求項６】
光学格子及び第４導波路を更に備え、
前記第４導波路は、第４入射光を受信すると共に前記光学格子上に前記第４入射光を向けるために全内反射を利用するように配置され、前記光学格子は、第４方向の第４経路に沿って前記試料領域内に前記受信した第４入射光を向けるために全内反射を利用するように配置され、
前記第４方向は、前記第１方向、前記第２方向、及び前記第３方向と異なり、前記第１方向、前記第２方向、及び前記第３方向と同一平面上にない、
請求項１〜請求項５の何れか１項に記載の光学部品。
【請求項７】
前記光学部品はフォトニック集積部品である、請求項１〜請求項６の何れか１項に記載の光学部品。
【請求項８】
前記導波路のうちの少なくとも１つは、それぞれの光路に沿って前記試料領域に向かって受信光を導波するように配置されており、前記光路は、前記試料領域に向かう方向で増加する幅を有する、請求項１〜請求項７の何れか１項に記載の光学部品。
【請求項９】
前記導波路のうちの少なくとも１つは、前記試料領域内に光を誘導するように配置された端面を備える、請求項１〜請求項８の何れか１項に記載の光学部品。
【請求項１０】
前記導波路のうちの少なくとも１つは、前記導波路によって受信された光のエバネッセント場成分のみを、前記試料領域内に誘導するように配置されている、請求項１〜請求項９の何れか１項に記載の光学部品。
【請求項１１】
前記光学部品は、試料を保持するための試料ウェルを画定する、請求項１〜請求項１０の何れか１項に記載の光学部品。
【請求項１２】
コア層及び光クラッド層を備え、前記試料ウェルは少なくとも部分的に、前記光クラッド層及び前記コア層によって画定されている、請求項１１に記載の光学部品。
【請求項１３】
光学部品の試料領域を照射する方法であって、前記方法は、
第１導波路と、さらなる導波路と、光学スプリッタとを備える光学部品を提供すること、
前記光学スプリッタで入射光を受信すること、
前記光学スプリッタの第１出力から前記第１導波路内の第１入射光を受信すること、
第１方向の第１経路に沿って前記試料領域内に前記第１入射光を誘導するために第１導波路内の全内反射を使用すること、
前記光学スプリッタの第２出力から、第２方向の第２経路に沿って前記試料領域内に第２入射光を誘導することであって、前記第２方向は前記第１方向とは異なる、誘導すること、
前記さらなる導波路内の第３入射光を受信すること、
第３方向の第３経路に沿って前記試料領域内に前記第３入射光を誘導するために前記さらなる導波路内の全内反射を使用することであって、前記第３方向は前記第１方向及び第２方向とは異なる、全内反射を使用すること、
前記試料領域内に周期的光パターンを形成するために、前記第１入射光及び前記第２入射光、又は前記第１入射光、第２入射光、及び第３入射光を一緒に干渉させること、
を含み、
前記第１方向、前記第２方向、及び前記第３方向は、同一平面上にある、
方法。
【請求項１４】
構造化照明顕微鏡法を使用して試料を撮像する方法であって、
請求項１３に記載の、光学部品の試料領域を周期的光パターンで照射すること、
前記試料領域から発せられた光を収集すること、
前記収集された光で構造化照明顕微鏡法を実行すること、
を含む方法。
【請求項１５】
構造化照明顕微鏡法を使用して前記試料領域内の試料を撮像するためのシステムであって、前記システムは、
光注入機構と、
請求項１〜請求項１２の何れか１項に記載の光学部品と、
前記試料領域から発せられる光を収集するように配置された対物レンズと、
前記収集された光で構造化照明顕微鏡法を実行するように配置された撮像ユニットと、
を備えるシステム。
【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
無線通信システムの端末において、
送受信部と、
基地局から非−コードブック基盤伝送を設定する情報を受信し、
前記基地局からサウンディング基準信号（ｓｏｕｎｄｉｎｇ  ｒｅｆｅｒｅｎｃｅ  ｓｉｇｎａｌ、ＳＲＳ）のための非ゼロパワー（ｎｏｎ−ｚｅｒｏ−ｐｏｗｅｒ）チャネル状態情報基準信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）リソースについての設定情報を受信し、
前記基地局から前記非ゼロパワーＣＳＩ−ＲＳリソースに相応する非ゼロパワーＣＳＩ−ＲＳを受信し、
前記受信された非ゼロパワーＣＳＩ−ＲＳに基づいて前記ＳＲＳのためのアップリンクプリコーダ（ｕｐｌｉｎｋ  ｐｒｅｃｏｄｅｒ）を確認するように設定された、前記送受信部と使用可能なように接続された処理部と、を含み、
前記非ゼロパワーＣＳＩ−ＲＳリソースは、複数のＳＲＳリソースに相応する端末。
【請求項２】
前記非ゼロパワーＣＳＩ−ＲＳリソースの数は、前記複数のＳＲＳリソースに相応する一つであることを特徴とする請求項１に記載の端末。
【請求項３】
前記処理部は、前記複数のＳＲＳリソースが非周期的ＳＲＳに該当する場合、ダウンリンク制御情報（ｄｏｗｎｌｉｎｋ  ｃｏｎｔｒｏｌ  ｉｎｆｏｒｍａｔｉｏｎ）に含まれた非周期的ＳＲＳトリガー情報をさらに受信するように設定され、
前記非ゼロパワーＣＳＩ−ＲＳは、前記非周期的ＳＲＳトリガー情報に基づいて確認されることを特徴とする請求項１に記載の端末。
【請求項４】
前記非ゼロパワーＣＳＩ−ＲＳが非周期的ＣＳＩ−ＲＳである場合、前記ダウンリンク制御情報及び前記非ゼロパワーＣＳＩ−ＲＳは、同じスロットで受信されることを特徴とする請求項３に記載の端末。
【請求項５】
無線通信システムの基地局において、
送受信部と、
端末に非−コードブック基盤伝送を設定する情報を伝送し、
前記端末にサウンディング基準信号（ｓｏｕｎｄｉｎｇ  ｒｅｆｅｒｅｎｃｅ  ｓｉｇｎａｌ、ＳＲＳ）のための非ゼロパワー（ｎｏｎ−ｚｅｒｏ−ｐｏｗｅｒ）チャネル状態情報基準信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）リソースについての設定情報を伝送し、
前記端末に前記非ゼロパワーＣＳＩ−ＲＳリソースに相応する非ゼロパワーＣＳＩ−ＲＳを伝送し、
前記端末からアップリンクプリコーダ（ｕｐｌｉｎｋ  ｐｒｅｃｏｄｅｒ）に基づいて伝送される前記ＳＲＳを受信するように設定された、前記送受信部と使用可能なように接続された処理部と、を含み、
前記アップリンクプリコーダは、前記非ゼロパワーＣＳＩ−ＲＳに基づいて確認され、
前記非ゼロパワーＣＳＩ−ＲＳリソースは、複数のＳＲＳリソースに相応する基地局。
【請求項６】
前記非ゼロパワーＣＳＩ−ＲＳリソースの数は、前記複数のＳＲＳリソースに相応する一つであることを特徴とする請求項５に記載の基地局。
【請求項７】
前記処理部は、前記複数のＳＲＳリソースが非周期的ＳＲＳに該当する場合、ダウンリンク制御情報（ｄｏｗｎｌｉｎｋ  ｃｏｎｔｒｏｌ  ｉｎｆｏｒｍａｔｉｏｎ）に含まれた非周期的ＳＲＳトリガー情報をさらに伝送するように設定され、
前記非ゼロパワーＣＳＩ−ＲＳは、前記非周期的ＳＲＳトリガー情報に基づいて確認されることを特徴とする請求項５に記載の基地局。
【請求項８】
前記非ゼロパワーＣＳＩ−ＲＳが非周期的ＣＳＩ−ＲＳである場合、前記ダウンリンク制御情報及び前記非ゼロパワーＣＳＩ−ＲＳは、同じスロットで伝送されることを特徴とする請求項７に記載の基地局。
【請求項９】
無線通信システムの端末の動作の方法において、
基地局から非−コードブック基盤伝送を設定する情報を受信する段階と、
前記基地局からサウンディング基準信号（ｓｏｕｎｄｉｎｇ  ｒｅｆｅｒｅｎｃｅ  ｓｉｇｎａｌ、ＳＲＳ）のための非ゼロパワー（ｎｏｎ−ｚｅｒｏ−ｐｏｗｅｒ）チャネル状態情報基準信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）リソースについての設定情報を受信する段階と、
前記基地局から前記非ゼロパワーＣＳＩ−ＲＳリソースに相応する非ゼロパワーＣＳＩ−ＲＳを受信する段階と、
前記受信された非ゼロパワーＣＳＩ−ＲＳに基づいて前記ＳＲＳのためのアップリンクプリコーダ（ｕｐｌｉｎｋ  ｐｒｅｃｏｄｅｒ）を確認する段階と、を含み、
前記非ゼロパワーＣＳＩ−ＲＳリソースは、複数のＳＲＳリソースに相応する方法。
【請求項１０】
前記非ゼロパワーＣＳＩ−ＲＳリソースの数は、前記複数のＳＲＳリソースに相応する一つであることを特徴とする請求項９に記載の方法。
【請求項１１】
前記複数のＳＲＳリソースが非周期的ＳＲＳに該当する場合、ダウンリンク制御情報（ｄｏｗｎｌｉｎｋ  ｃｏｎｔｒｏｌ  ｉｎｆｏｒｍａｔｉｏｎ）に含まれた非周期的ＳＲＳトリガー情報を受信する段階をさらに含み、
前記非ゼロパワーＣＳＩ−ＲＳは、前記非周期的ＳＲＳトリガー情報に基づいて確認されることを特徴とする請求項９に記載の方法。
【請求項１２】
前記非ゼロパワーＣＳＩ−ＲＳが非周期的ＣＳＩ−ＲＳである場合、前記ダウンリンク制御情報及び前記非ゼロパワーＣＳＩ−ＲＳは、同じスロットで受信されることを特徴とする請求項１１に記載の方法。
【請求項１３】
無線通信システムの基地局の動作の方法において、
端末に非−コードブック基盤伝送を設定する情報を伝送する段階と、
前記端末にサウンディング基準信号（ｓｏｕｎｄｉｎｇ  ｒｅｆｅｒｅｎｃｅ  ｓｉｇｎａｌ、ＳＲＳ）のための非ゼロパワー（ｎｏｎ−ｚｅｒｏ−ｐｏｗｅｒ）チャネル状態情報基準信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）リソースについての設定情報を伝送する段階と、
前記端末に前記非ゼロパワーＣＳＩ−ＲＳリソースに相応する非ゼロパワーＣＳＩ−ＲＳを伝送する段階と、
前記端末からアップリンクプリコーダ（ｕｐｌｉｎｋ  ｐｒｅｃｏｄｅｒ）に基づいて伝送される前記ＳＲＳを受信する段階と、を含み、
前記アップリンクプリコーダは、前記非ゼロパワーＣＳＩ−ＲＳに基づいて確認され、
前記非ゼロパワーＣＳＩ−ＲＳリソースは、複数のＳＲＳリソースに相応する方法。
【請求項１４】
前記非ゼロパワーＣＳＩ−ＲＳリソースの数は、前記複数のＳＲＳリソースに相応する一つであることを特徴とする請求項１３に記載の方法。
【請求項１５】
前記複数のＳＲＳリソースが非周期的ＳＲＳに該当する場合、ダウンリンク制御情報（ｄｏｗｎｌｉｎｋ  ｃｏｎｔｒｏｌ  ｉｎｆｏｒｍａｔｉｏｎ）に含まれた非周期的ＳＲＳトリガー情報を伝送する段階をさらに含み、
前記非ゼロパワーＣＳＩ−ＲＳは、前記非周期的ＳＲＳトリガー情報に基づいて確認されることを特徴とする請求項１３に記載の方法。
【請求項１６】
前記非ゼロパワーＣＳＩ−ＲＳが非周期的ＣＳＩ−ＲＳである場合、前記ダウンリンク制御情報及び前記非ゼロパワーＣＳＩ−ＲＳは、同じスロットで伝送されることを特徴とする請求項１５に記載の方法。
【手続補正書】
【提出日】令和3年3月17日(2021.3.17)
【手続補正１】
【補正対象書類名】特許請求の範囲
【補正対象項目名】全文
【補正方法】変更
【補正の内容】
【特許請求の範囲】
【請求項１】
基地局(BS)によって実行されるワイヤレス通信のための方法であって、
同期信号(SS)ブロックに関連付けられたSSブロックインデックスを識別するステップと、
前記SSブロックインデックスに少なくとも部分的に基づいて、前記SSブロックに関連付けられた物理ブロードキャストチャネル(PBCH)をスクランブルするステップと、
3次同期信号(TSS)および前記PBCHを含む前記SSブロックを送信するステップであって、
前記TSSが、前記SSブロックに関連付けられた前記SSブロックインデックスを識別する情報を含み、
前記TSSが、前記SSブロックの2つ以上の直交周波数分割多重(OFDM)シンボルにおいて前記PBCHと周波数分割多重され、
第1のOFDMシンボルにおける前記TSSの第1の部分の少なくとも一部の周波数ロケーションは、第2のOFDMシンボルにおける前記TSSの第2の部分の周波数ロケーションとは異なる、ステップと
を含む方法。
【請求項２】
前記SSブロックが関連付けられる物理セル識別子にさらに少なくとも部分的に基づいて前記PBCHをスクランブルするステップ
をさらに含む、請求項1に記載の方法。
【請求項３】
前記TSSおよび前記PBCHが、少なくとも第1のOFDMシンボルおよび第3のOFDMシンボルにおいて周波数分割多重され、
前記SSブロックが、
2次同期信号(SSS)を含む第2のOFDMシンボルと、
1次同期信号(PSS)を含む第4のOFDMシンボルと
をさらに含む、請求項2に記載の方法。
【請求項４】
前記TSSがPBCH復調基準信号(DMRS)である、請求項1に記載の方法。
【請求項５】
前記PBCHが前記TSSに少なくとも部分的に基づいて変調される、請求項1に記載の方法。
【請求項６】
前記SSブロックが、SSバーストに含まれる複数のSSブロックのうちの1つであり、
前記SSバーストが、SSバーストセットに含まれる複数のSSバーストのうちの1つである、請求項1に記載の方法。
【請求項７】
ワイヤレス通信デバイスであって、
同期信号(SS)ブロックに関連付けられたSSブロックインデックスを識別するための手段と、
前記SSブロックインデックスに少なくとも部分的に基づいて、前記SSブロックに関連付けられた物理ブロードキャストチャネル(PBCH)をスクランブルするための手段と、
3次同期信号(TSS)および前記PBCHを含む前記SSブロックを送信するための手段であって、
前記TSSが、前記SSブロックに関連付けられた前記SSブロックインデックスを識別する情報を含み、
前記TSSが、前記SSブロックの2つ以上の直交周波数分割多重(OFDM)シンボルにおいて前記PBCHと周波数分割多重され、
第1のOFDMシンボルにおける前記TSSの第1の部分の少なくとも一部の周波数ロケーションは、第2のOFDMシンボルにおける前記TSSの第2の部分の周波数ロケーションとは異なる、手段と
を備える、ワイヤレス通信デバイス。
【請求項８】
ユーザ機器(UE)によって実行されるワイヤレス通信のための方法であって、
3次同期信号(TSS)および物理ブロードキャストチャネル(PBCH)を含む同期信号(SS)ブロックを受信するステップであって、
前記TSSが、前記SSブロックに関連付けられたSSブロックインデックスの少なくとも一部分を識別する情報を含み、
前記TSSが、前記SSブロックの2つ以上の直交周波数分割多重(OFDM)シンボルにおいて前記PBCHと周波数分割多重され、
第1のOFDMシンボルにおける前記TSSの第1の部分の少なくとも一部の周波数ロケーションは、第2のOFDMシンボルにおける前記TSSの第2の部分の周波数ロケーションとは異なり、
前記PBCHが、前記SSブロックインデックスに少なくとも部分的に基づいてスクランブルされる、ステップと、
前記TSSおよび前記PBCHに少なくとも部分的に基づいて前記SSブロックインデックスを決定するステップと、
前記SSブロックインデックスに基づいて基地局と通信するステップと
を含む方法。
【請求項９】
前記TSSおよび前記PBCHが、異なるOFDMシンボルにおいて周波数分割多重され、
前記SSブロックが、
2次同期信号(SSS)を含む別のOFDMシンボルと、
1次同期信号(PSS)を含む別のOFDMシンボルと
をさらに含む、請求項8に記載の方法。
【請求項１０】
前記PBCHが前記TSSに少なくとも部分的に基づいて復調される、請求項8に記載の方法。
【請求項１１】
前記TSSが前記PBCHのための位相基準として使用される、請求項8に記載の方法。
【請求項１２】
前記SSブロックインデックスと、前記基地局に関連付けられた物理セル識別子とを含む測定報告を送るステップ
をさらに含む、請求項8に記載の方法。
【請求項１３】
前記SSブロックが、SSバーストに含まれる複数のSSブロックのうちの1つであり、
前記SSバーストが、SSバーストセットに含まれる複数のSSバーストのうちの1つである、請求項8に記載の方法。
【請求項１４】
前記SSブロックインデックスに少なくとも部分的に基づいてシステムを獲得するステップ
をさらに含む、請求項8に記載の方法。
【請求項１５】
ワイヤレス通信デバイスであって、
3次同期信号(TSS)および物理ブロードキャストチャネル(PBCH)を含む同期信号(SS)ブロックを受信するための手段であって、
前記TSSが、前記SSブロックに関連付けられたSSブロックインデックスを識別する情報を含み、
前記TSSが、前記SSブロックの2つ以上の直交周波数分割多重(OFDM)シンボルにおいて前記PBCHと周波数分割多重され、
第1のOFDMシンボルにおける前記TSSの第1の部分の少なくとも一部の周波数ロケーションは、第2のOFDMシンボルにおける前記TSSの第2の部分の周波数ロケーションとは異なり、
前記PBCHが、前記SSブロックインデックスに少なくとも部分的に基づいてスクランブルされる、手段と、
前記TSSに少なくとも部分的に基づいて前記SSブロックインデックスを決定するための手段と、
前記SSブロックインデックスに基づいて基地局と通信するための手段と
を備える、ワイヤレス通信デバイス。